(57)【要約】【課題】    本発明の目的は、落下の防止をより図ることができる安全ネット及び安全ネットの形成方法を提供するものである。【解決手段】    安全ネットの形成方法は、作業者の落下、工具の落下を受け止めるネット本体１と、このネット本体１に環状に取り付けられ、ネット本体１の周囲に位置する周囲ロープ２と、ネット本体１に環状に取り付けられ、周囲ロープ２に隣接して設けられた弾性ロープ３とを有する安全ネットＳを支持体５に連結して、安全ネットＳを張って形成する安全ネットの形成方法であって、弾性ロープ３を緊張状態にして、周囲ロープ３の弛みを防止して、ネット本体１を張るものである。【選択図】図１
2018145681.tif 000002
【特許請求の範囲】
【請求項１】
作業者の落下、工具の落下を受け止めるネット本体と、
このネット本体に取り付けられ、前記ネット本体の周囲に位置する周囲ロープと、
前記ネット本体に取り付けられ、前記周囲ロープに隣接して設けられた弾性ロープとを有する    
ことを特徴とする安全ネット。
【請求項２】
作業者の落下、工具の落下を受け止めるネット本体と、
このネット本体に取り付けられ、前記ネット本体の周囲に位置する周囲ロープと、
前記ネット本体に取り付けられ、前記周囲ロープに隣接して設けられた弾性ロープとを有する安全ネットを支持体に連結して、前記安全ネットを張って形成する安全ネットの形成方法であって、
前記弾性ロープを緊張状態にして、前記周囲ロープの弛みを防止して、前記ネット本体を張る
ことを特徴とする安全ネットの形成方法。
【請求項３】
作業者の落下、工具の落下を受け止めるネット本体と、
このネット本体に取り付けられ、前記ネット本体の周囲に位置する周囲ロープと、
前記ネット本体に取り付けられ、前記周囲ロープに隣接して設けられた弾性ロープとを有する安全ネットを支持体に連結体で連結して、形成する安全ネットの形成方法であって、
前記弾性ロープを緊張状態にして、前記周囲ロープの弛みを防止して、前記ネット本体を張る
ことを特徴とする安全ネットの形成方法。
【請求項４】
ネット本体は、矩形形状であり、
支持体は、第１の水平部材、第２の水平部材、第３の水平部材、第４の水平部材であり、
連結体は、第１の連結体、第２の連結体、第３の連結体、第４の連結体であり、
前記第１の連結体は前記ネット本体と前記第１の水平部材とを連結するものであり、
前記第２の連結体は前記ネット本体と前記第２の水平部材とを連結するものであり、
前記第３の連結体は前記ネット本体と前記第３の水平部材とを連結するものであり、
前記第４の連結体は前記ネット本体と前記第４の水平部材とを連結するものである
ことを特徴とする請求項３記載の安全ネットの形成方法。
【発明の詳細な説明】
【技術分野】
【０００１】
本発明は、安全ネット及び安全ネットの形成方法に係り、特に、落下の防止をより図ることができる安全ネット及び安全ネットの形成方法に関する。
【背景技術】
【０００２】
従来、落下した作業者、工具等を受け止める安全ネットがある（例えば、特許文献１参照）。
【先行技術文献】
【特許文献】
【０００３】
【特許文献１】特開２００９−１７４２４５号公報
【発明の概要】
【発明が解決しようとする課題】
【０００４】
この安全ネットが柱等の支持体に支持されて張られた場合、例えば、支持間隔が３ｍ以内にあっては、ネット本体の周囲に設けられた周囲ロープの重みにより、ネット本体の周囲が 弛んで隙間（例えば、２０ｃｍ）が形成され、該隙間を介して、例えば、落下した工具等が落下するという問題点が生じた。
弛みを少なくするために、支持間隔を細かくしすぎると、周囲ロープの柔軟性が阻害され、主目的である人体の落下に対し、安全に受け止めることができないという問題点が生じる。
また、周囲ロープ自体をゴム入りロープにした場合、人体が落ちた後、ロープが伸びすぎてしまい、階下の障害物に衝突したり、ゴムの反発により、人体がネット外に飛び出してしまうという問題点が生じる。
【０００５】
本発明は、上記問題点を考慮してなされた安全ネット及び安全ネットの形成方法を提供することを目的とする。
【課題を解決するための手段】
【０００６】
請求項１記載の安全ネットは、作業者の落下、工具の落下を受け止めるネット本体と、このネット本体に取り付けられ、前記ネット本体の周囲に位置する周囲ロープと、前記ネット本体に取り付けられ、前記周囲ロープに隣接して設けられた弾性ロープとを有するものである。
【０００７】
また、請求項２記載の安全ネットの形成方法は、作業者の落下、工具の落下を受け止めるネット本体と、このネット本体に取り付けられ、前記ネット本体の周囲に位置する周囲ロープと、前記ネット本体に取り付けられ、前記周囲ロープに隣接して設けられた弾性ロープとを有する安全ネットを支持体に連結して、前記安全ネットを張って形成する安全ネットの形成方法であって、前記弾性ロープを緊張状態にして、前記周囲ロープの弛みを防止して、前記ネット本体を張るものである。
【０００８】
また、請求項３記載の安全ネットの形成方法は、作業者の落下、工具の落下を受け止めるネット本体と、このネット本体に取り付けられ、前記ネット本体の周囲に位置する周囲ロープと、前記ネット本体に取り付けられ、前記周囲ロープに隣接して設けられた弾性ロープとを有する安全ネットを支持体に連結体で連結して、形成する安全ネットの形成方法であって、前記弾性ロープを緊張状態にして、前記周囲ロープの弛みを防止して、前記ネット本体を張るものである。
【０００９】
また、請求項４記載の安全ネットの形成方法は、請求項３記載の安全ネットの形成方法において、ネット本体は、矩形形状であり、支持体は、第１の水平部材、第２の水平部材、第３の水平部材、第４の水平部材であり、連結体は、第１の連結体、第２の連結体、第３の連結体、第４の連結体であり、前記第１の連結体は前記ネット本体と前記第１の水平部材とを連結するものであり、前記第２の連結体は前記ネット本体と前記第２の水平部材とを連結するものであり、前記第３の連結体は前記ネット本体と前記第３の水平部材とを連結するものであり、前記第４の連結体は前記ネット本体と前記第４の水平部材とを連結するものである。
【発明の効果】
【００１０】
請求項１記載の安全ネットによれば、作業者の落下、工具の落下を受け止めるネット本体と、このネット本体に取り付けられ、前記ネット本体の周囲に位置する周囲ロープと、前記ネット本体に取り付けられ、前記周囲ロープに隣接して設けられた弾性ロープとを有するため、安全ネットを支持体に連結体（連結体は、例えば、周囲ロープ、周囲ロープとは、別個のロープ等）で連結して、安全ネットを形成して、前記弾性ロープを緊張状態にして、前記周囲ロープの弛みを防止して、前記ネット本体を張ることができ、その結果、周囲ロープの弛みによる隙間を少なくして、該隙間を介して、例えば、落下した工具のさらなる落下を防止することができる。
【００１１】
また、請求項２記載の安全ネットの形成方法によれば、作業者の落下、工具の落下を受け止めるネット本体と、このネット本体に取り付けられ、前記ネット本体の周囲に位置する周囲ロープと、前記ネット本体に取り付けられ、前記周囲ロープに隣接して設けられた弾性ロープとを有する安全ネットを支持体に連結して、前記安全ネットを張って形成する安全ネットの形成方法であって、前記弾性ロープを緊張状態にして、前記周囲ロープの弛みを防止して、前記ネット本体を張るため、周囲ロープの弛みによる隙間を少なくして、該隙間を介して、例えば、落下した工具のさらなる落下を防止することができる。
【００１２】
また、請求項３記載の安全ネットの形成方法によれば、作業者の落下、工具の落下を受け止めるネット本体と、このネット本体に取り付けられ、前記ネット本体の周囲に位置する周囲ロープと、前記ネット本体に取り付けられ、前記周囲ロープに隣接して設けられた弾性ロープとを有する安全ネットを支持体に連結体で連結して、形成する安全ネットの形成方法であって、前記弾性ロープを緊張状態にして、前記周囲ロープの弛みを防止して、前記ネット本体を張るため、周囲ロープの弛みによる隙間を少なくして、該隙間を介して、例えば、落下した工具のさらなる落下を防止することができる。
【図面の簡単な説明】
【００１３】
【図１】図１は、本発明の一実施例の安全ネットの概略的平面図である。
【発明を実施するための形態】
【００１４】
本発明の一実施例の安全ネット及び安全ネットの形成方法を図１を参照して説明する。
図１に示すＳは、作業者の高所作業における落下事故の防止、工具類、部材落下を受け止めて、下層部での作業者の安全を確保するために使用される安全ネットである。
【００１５】
図１に示す１は、作業者の落下、工具の落下を受け止めるネット本体で、２は、ネット本体１に取り付けられ、ネット本体１の周囲に位置する周囲ロープで、３は、ネット本体１に取り付けられ、周囲ロープ２に隣接して設けられた弾性ロープである。
弾性ロープ３の長さは、ネット本体１の周囲に周囲ロープ２を入れた状態の周囲長に対して８０％〜９０％程度で、弾性ロープ３の挿通間隔は、例えば、５０ｃｍ〜１００ｃｍピッチで、弾性ロープ３の緊張により、周囲ロープ２の弛みによる隙間を少なくして、該隙間を介して、例えば、落下した工具のさらなる落下を防止しようとするものである。
なお、本実施例においては、弾性ロープ３を周囲ロープ２の内側に隣接して設けたが、本願発明にあっては、これに限らず、弾性ロープ３を周囲ロープ２の外側に隣接して設けるようにしても良い。弾性ロープ３の長さは、上述と同様に、ネット本体１の周囲に周囲ロープ２を入れた状態の周囲長に対して８０％〜９０％程度で、弾性ロープ３の挿通間隔は、例えば、５０ｃｍ〜１００ｃｍピッチで、弾性ロープ３の緊張により、周囲ロープ２の弛みによる隙間を少なくするようにする。
【００１６】
そして、安全ネットＳを支持体（４１、４２、４３、４４）に連結して、安全ネットＳを張って形成する（安全ネットの形成方法）。なお、特に、弾性ロープ３を緊張状態にして、周囲ロープ２の重みによる弛みを防止して、ネット本体１を張るものである。
その結果、周囲ロープ２の弛みによる隙間を少なくして、隙間を介して、例えば、落下した工具（図示せず）のさらなる落下を防止することができる。
また、弾性ロープ３は、安全ネットＳ自体の減速度を小さくする効果がある。
そのため、ネット本体１の網の素材として、従来、減速度が減って、不向きとされたポリエチレン、スーパー繊維を用いることも可能となる。
【００１７】
従って、上述した安全ネットＳによれば、作業者の落下、工具の落下を受け止めるネット本体１と、このネット本体１に取り付けられ、ネット本体１の周囲に位置する周囲ロープ２と、ネット本体１に取り付けられ、周囲ロープ２に隣接して設けられた弾性ロープ３（弾性ロープ３は、例えば、周囲ロープ２の内側に位置する。）とを有するため、安全ネットＳを支持体（４１、４２、４３、４４）に連結体（連結体は、例えば、周囲ロープ２とは、別個の後述するロープ５等）で連結して、安全ネットＳを形成して、弾性ロープ３を緊張状態にして、周囲ロープ２の重みによる弛みを防止して、ネット本体１を張ることができ、その結果、周囲ロープ２の重みによる弛みによる隙間を少なくして、隙間を介して、例えば、落下した工具（図示せず）のさらなる落下を防止することができる。
【００１８】
なお、上述したネット本体１は、例えば、矩形形状であり、弾性ロープ３は、例えば、周囲ロープ２の内側又は外側に位置し、支持体（４１、４２、４３、４４）は、柱でも良いが、本実施例では、例えば、第１の水平部材４１、第２の水平部材４２、第３の水平部材４３、第４の水平部材４４であり、連結体（５１、５２、５３、５４）は、例えば、第１の連結体５１、第２の連結体５２、第３の連結体５３、第４の連結体５４であり、第１の連結体５１はネット本体１と第１の水平部材４１とを連結するものであり、第２の連結体５２はネット本体１と第２の水平部材４２とを連結するものであり、第３の連結体５３はネット本体１と第３の水平部材４３とを連結するものであり、第４の連結体５４はネット本体１と第４の水平部材５４とを連結するものである。
【符号の説明】
【００１９】
Ｓ      安全ネット
１      ネット本体
２      周囲ロープ
３      弾性ロープ
【図１】
2018145681.tif 000003